【事件の表示】
　特許第３１４８４５６号「エッジライト式導光板装置」の請求項１ないし３に係る特許に対する特許異議の申立てについて、次のとおり決定する。
【結　論】
　訂正を認める。
　特許第３１４８４５６号の請求項１ないし３に係る特許を維持する。
【理　由】
【1】手続の経緯
　特許第3148456号の請求項1〜3に係る発明は、平成5年4月12日に出願され、平成13年1月12日にその設定登録がなされ、その後、福島佳子、及び比気美保子よりそれぞれ特許異議申立がなされ、平成14年4月26日付け取消理由通知に対して平成14年5月21日に訂正請求がなされたものである。
　
【2】訂正の適否についての判断
【2-1】訂正の要旨
　特許権者が求めている訂正の内容は、以下のとおりである。
訂正事項a:
　特許請求の範囲の請求項1を、特許請求の範囲の減縮を目的として、
「【請求項1】 一面が発光面(11a)とされ他面が反射面(11b)とされた導光板(11)を備え、前記反射面(11b)には乱反射部(19)が散点状に設けられていて、前記乱反射部(19)が、前記導光板(11)の端面(12)から入射した光を乱反射させて発光面(11a)側を発光させるようにした導光板装置において、
　前記導光板(11)の入射側端面(12)以外の端面(17)端部のすべてに、乱反射部を有しない乱反射禁止部(20)が設けられていることを特徴とするエッジライト式導光板装置。」
と訂正する。
訂正事項b:
　明細書の段落【0008】を、不明りような記載の釈明を目的として、
「【0008】
　【課題を解決するための手段】
　本発明のエッジライト式導光板装置は、一面が発光面11aとされ他面が反射面11bとされた導光板11を備え、前記反射面11bには乱反射部19が散点状に設けられていて、前記乱反射部19が、前記導光板11の端面12から入射した光を乱反射させて発光面11a側を発光させるようにした導光板装置において、前記導光板11の入射側端面12以外の端面17端部のすべてに、乱反射部を有しない乱反射禁止部20が設けられていることを特徴とする。」
と訂正する。
訂正事項c:
　明細書の段落【0023】を、不明りような記載の釈明を日的として、
「【0023】
　【発明の効果】
　請求項1に係るエッジライト式導光板装置おいては、乱反射禁止部20により、入射側端面12以外の端面17端部付近での発光を、入射側端面12端部よりも確実に強く抑制できるため、輝度が高くなり過ぎるおそれの大きい入射側端面12以外の端面17端部の輝度の増加を効果的に抑えることができ、従って、発光面11aの中央部と端部付近との輝度の差異が小さくなり、発光面11a全体の輝度を効率よく均一化できる。」
と訂正する。
　
【2-2】訂正の目的の適否、新規事項の有無及び拡張・変更の存否
　上記訂正事項aは、「導光板(11)の入射側端面(12)以外の端面(17)端部のすべてに、乱反射部を有しない乱反射禁止部(20)が設けられている」は特許明細書段落【0015】の記載事項の範囲内であり図2に図示されていたものであるから、願書に添付した明細書及び図面に記載した事項の範囲内で特許請求の範囲の減縮を目的とするものであり、これらの訂正は実質上特許請求の範囲を拡張し、又は変更するものでもない。
　また、上記訂正事項b、cは、願書に添付した明細書及び図面に記載した事項の範囲内で不明りょうな記載の釈明を目的とするものであり、これらの訂正は実質上特許請求の範囲を拡張し、又は変更するものでもない。
　
【2-3】むすび
　以上のとおりであるから、上記訂正は、特許法第120条の4第2項及び同条第3項で規定する訂正について、平成6年法律第116号附則第6条第1項の規定によりなお従前の例によるとされる改正前の特許法第126条第1項ただし書き及び同条第2項の規定に適合するので、当該訂正を認める。
　
【3】特許異議の申立てについての判断
【3-1】本件発明1〜3
　訂正後の請求項1〜請求項3に係る発明は、以下のとおりである。
「【請求項1】 一面が発光面(11a)とされ他面が反射面(11b)とされた導光板(11)を備え、前記反射面(11b)には乱反射部(19)が散点状に設けられていて、前記乱反射部(19)が、前記導光板(11)の端面(12)から入射した光を乱反射させて発光面(11a)側を発光させるようにした導光板装置において、
　前記導光板(11)の入射側端面(12)以外の端面(17)端部のすべてに、乱反射部を有しない乱反射禁止部(20)が設けられていることを特徴とするエッジライト式導光板装置。
　【請求項2】 導光板(11)の入射側端面(12)以外の端面(17)に乱反射部(18)が設けられていることを特徴とする請求項1に記載のエッジライト式導光板装置。
　【請求項3】 入射側端面(12)以外の端面(17)に設けられた前記乱反射部(18)は、該端面(17)に塗布された反射用ペイントであることを特徴とする請求項2に記載のエッジライト式導光板装置。」
　以下、請求項順に「本件発明1」〜「本件発明3」という。
　
【3-2】申立ての理由の概要
　特許異議申立人福島佳子は、甲第1号証の1から甲第1号証の15に基づいて公然実施されたと主張する発明1及び刊行物1〜5を示して、本件発明1は、公然実施された発明1であり、刊行物1に記載された発明でもあるから特許法第29条第1項第2号、同項第3号に該当し、また、それらのいずれかの発明に基づいて容易に発明できたものでもあるから、同法第29条第2項の規定に違反して特許されたものであり、本件発明2は、公然実施された発明1または刊行物1に記載された発明と刊行物2または刊行物4に記載された発明とに基づいて当業者が容易に発明できたものであるから、同法第29条第2項の規定に違反して特許されたものであり、本件発明3は、公然実施された発明1または刊行物1に記載された発明と刊行物4に記載された発明とに基づいて当業者が容易に発明できたものであるから、同法第29条第2項の規定に違反して特許されたものであり、本件発明3は、公然実施された発明1または刊行物1に記載された発明と刊行物2に記載された発明と刊行物3または5に記載された発明とに基づいて当業者が容易に発明できたものであるから、同法第29条第2項の規定に違反して特許されたものである旨主張している。
　また、特許異議申立人比気美保子は、刊行物3、6、7を示して、本件発明1は、刊行物6に記載された発明に基づいて当業者が容易に発明できたものであり、本件発明2、3は、刊行物6、3、7に記載された発明に基づいて当業者が容易に発明できたものであるから、同法第29条第2項の規定に違反して特許されたものである旨主張している。
　公然実施された発明1:セイコーエプソン株式会社が実施したと思われるパーソナルコンピュータの発明(福島佳子の甲第1号証の1〜15)
　刊行物1:NIKKEI MICRODEVICES 1992年2月号第40頁(福島佳子の甲第2号証)
　刊行物2:特開2-269382平号公報(福島佳子の甲第3号証)
　刊行物3:特開平4-268506号公報(福島佳子の甲第4号証、比気美保子の甲第2号証)
　刊行物4: 特開平4-265909号公報(福島佳子の甲第5号証)
　刊行物5:特開平4-369619号公報(福島佳子の甲第6号証)
　刊行物6:特開平4-110990号公報(比気美保子の甲第1号証)
　刊行物7:特開平3-9306号公報(比気美保子の甲第3号証)
　
　なお、特許権者は、福島佳子が甲第1号証の1〜15に基づいて主張する発明1が、本件の出願前に公然実施されたものである点については争っていない。
　
【3-3】刊行物に記載された発明等
公然実施された発明1:セイコーエプソン株式会社が実施したと思われるパーソナルコンピュータの発明(福島佳子の甲第1号証の1〜15による立証)
　甲第1号証の1から甲第1号証の15は、「セイコーエプソン株式会社」及び「型番 PC‐386NW2」「製造番号 42R0002052」の表示がされ、同社が製造したと推定されるノートパソコン(以下、「本件ノートPC」とする。)の写真である。甲第1号証の1は、本件ノートPCの表面全体写真、甲第1号証の2は、本件ノートPCの蓋を開けた状態の全体写真、甲第1号証の3は、本件ノートPCの裏面にある製造時期を表示した部分の拡大写真、甲第1号証の4は、本件ノートPCの裏面にある品名、型番等を表示した部分の拡大写真、甲第1号証の5は、本件ノートPCの蓋と本体とを分離し、蓋カバーを開けた状態の写真、甲第1号証の6は、本件ノートPCの蓋から蓋カバーを取り除き、保護基板および液晶装置を分離した状態の写真、甲第1号証の7は、本件ノートPCに内蔵されたエッジライト式導光板装置から線光源を分離した状態の写真、甲第1号証の8は、本件ノートPCに内蔵されたエッジライト式導光板装置から線光源を取り除き、拡散板、導光板および反射板からなるエッジライトパネルを分離した状態の写真、甲第1号証の9は、導光板の入射端面と対向する端面に配置された乱反射部部分の甲第1号証の8の拡大写真、甲第1号証の10は、本件ノートPCに内蔵されたエッジライト式導光板装置の拡散板、導光板、反射板を分離した写真、甲第1号証の11は、本件ノートPCに内蔵されたエッジライト式導光板装置の導光板を黒地に載せた写真、甲第1号証の12は、甲第1号証の11の左上部分の拡大写真、甲第1号証の13は、甲第1号証の11の左下部分の拡大写真、甲第1号証の14は、甲第1号証の11の右上部分の拡大写真、甲第1号証の15は、甲第1号証の11の右下部分の拡大写真である。甲第1号証の12、甲第1号証の13から、導光板の左(写真の左側)の領域において、微小な白い矩形の集合からなる乱反射部が形成されていない領域が存在することが認められる。
　
刊行物1:NIKKEI MICRODEVICES 1992年2月号第40頁(福島佳子の甲第2号証)
　「図5」には、「(c)エッジライト方式のバックライトを採用したシャープの8.4インチTFTカラー液晶モジュールの構成」に係る写真が示され、図5の写真は鮮明ではないが、下段中央にある「導光板」は周緑部を除き乱反射マークが形成されており、2本の冷陰極管がその両側に配置されるものと推定される。
　
刊行物2:特開2-269382平号公報(福島佳子の甲第3号証)
　実施例には、「第2図」に示すように、「面光源パネル11の下端には、この面光源パネル11の一側端面16に臨んでこれに近接する…一次光源13をその長手方向に配設内蔵せしめてある。」(第2頁右下欄第6行〜第10行)こと、「更に、この一次光源13側と反対側に位置し且つ上端に該当する他側端面17を含む、この面光源パネル11の他の3端面には、本例において透明接着剤を用いて、これら3端面一連に白色系樹脂テープを接着一体化せしめることにより一次光源13からの入射光の透過による損失を可及的に防止する」(第2頁右下欄第18行〜第3頁左上欄第4行)こと、「面光源パネル11は、…アクリル製透明樹脂平板15の上記設置状態で背面側とされた表面にはその略全面に亘る乱反射層18を形成して構成したものとしてある」(第3頁左上欄第7行〜第14行)ことの記載がある。
　
刊行物3:特開平4-268506号公報(福島佳子の甲第4号証、比気美保子の甲第2号証)
　実施例には、「透明導光板1の対向する一対の側面の一方に線光源2が配置され、他方に側面反射板4が配置される。このような構成の面発光装置では、…線光源2から遠ざかるにつれて光拡散透過部3の面積率が次第に大きくなるとともに、所定箇所から側面反射板4に近づくにつれて光拡散透過部3の面積率が次第に小さくなるように導光板1の裏面に光拡散透過部3を形成する。」(第3欄第21行〜第30行)こと、「上記側面反射板4を導光板1の側面に直接密着させる反射層として配置する場合には、次のような方法がある。すなわち、導光板1の側面に直接白色の塗布あるいは印刷をする」(第5欄第5行〜第8行)ことが記載されている。
　
刊行物4: 特開平4-265909号公報(福島佳子の甲第5号証)
　発明の詳細な説明の欄には「本発明に係る面照明装置は、導光板の光源のない他の各側端面に端面反射層を形成しているので、反射板および拡散板に対して平行または略平行で光源から入射して導光板内部を直進した光が各側端面に到達したとき、外部に投射されることなく確実に内部へ乱反射される」(第2欄第43行〜第48行)こと、及び「光源のない他の各側端面22,23,24に、粗面4を形成して、その上に白色度の高い顔料(チタンホワイト、酸化亜鉛など)を含む白色塗料を  塗布して生成された白色塗膜5で粗面4を被覆して形成された端面反射層6」(第3欄第21行〜第25行)が記載されている。
　
刊行物5:特開平4-369619号公報(福島佳子の甲第6号証)
　実施例には「図1および図2に示すように、長方形の導光板1の対向する1対の側面の一方に綿光源2を、他方に側面反射層4をそれぞれ配置し、導光板1の裏面には光拡散透過部3が形成されている。」(第3欄第23行〜第2 7行)こと、「側面反射層4は、導光板1の綿光源2に対向する他側面に、・・・直接白色インキを塗布」(第4欄第19行〜第21行)することが記載されている。
　
刊行物6:特開平4-110990号公報(比気美保子の甲第1号証)
　第3頁第左上欄第13行〜第14行には、「2は長方形の透明基板3の背面側に乱反射パターン4を具備した面光源パネル」が記載されており、また、第3頁右上欄第20行〜左下欄第1行には、「透明基板3は、・・・数mmの外周端部を残した全面に乱反射パターン4をスクリーン印刷によって印刷形成せしめてある。乱反射パターン4は、第2図に示すように線配列状の網点パターンとされており」と記載されている。そして、第1図には、2灯式の面光源装置の全体構成が示され、第2図には、乱反射パターンが示されている。また、第4図には、1灯式の面光源装置の全体構成が示されている。第3頁右上欄第15行〜第17行に記載されたように、乱反射パターン4が形成されるのは、非照明面側である背面側であって、第1図の下面側である。また、第1図及び第4図の面光源装置は、エッジライト面光源パネル2を備えている。第2頁右上欄第16行〜同欄第18行には、「面光源パネルに生じる、光源からの入射光量に起因する輝度の不均一性を簡易且つ確実に解消」と記載されて、第5頁右上欄第20行〜左下欄第2行には、「従って、明るく、薄く且つ均一な輝度を有する面光源パネルの提供に極めて有効である。」と記載されている。
　
刊行物7:特開平3-9306号公報(比気美保子の甲第3号証)
　第3頁左下欄第3行〜第12行には、透明基板1から漏れ出た光を透明基板1内に戻したり、また、出光面以外からの光の漏洩を防止するために、ハウジング6の内面に光反射率の高い白色塗料を塗布等する技術が開示されている。第3頁左下欄第13行〜第16行には、「透明基板1の光源2側以外の周縁は、その周縁からの光の漏洩を防ぐべく反射テープ7等で被覆する」技術が開示されている。刊行物7は、液晶ディスプレイを照射するエッジライト式のバックライト装置に関するもの(第1頁左欄第18行〜第20行、第1図〜第4図参照)であり、第2頁右上欄第13行〜第15行には、「薄型かつ軽量で大面積化によっても輝度の均一性に優れ、又光の損失が少ないバックライト装置を提供せんとする」という課題が記載されている。
　
【3-4】対比
【3-4-1】本件発明1
　本件発明1と刊行物6に記載された発明(以下、「引用発明」という。)とを比較すると、引用発明における「長方形の透明基板3」、透明基板3の「数mmの外周端部」、「乱反射パターン4」、「1灯式の面光源装置」、「照明面」及び「非照明面側である背面側」は、本件発明1の「導光板」、「乱反射禁止部」、「乱反射部」、「エッジライト式導光板装置」、「発光面」及び「反射面」に相当する。
　よって、両者は、「一面が発光面とされ他面が反射面とされた導光板を備え、前記反射面には乱反射部が散点状に設けられていて、前記乱反射部が、前記導光板の端面から入射した光を乱反射させて発光面側を発光させるようにした導光板装置において、前記導光板の端面端部のすべてに乱反射部を有しない乱反射禁止部が設けられていることを特徴とするエッジライト式導光板装置。」の点で一致し、乱反射禁止部が、本件発明1では、導光板の入射側端面以外の端面端部のすべてに設けられているのに対して、引用発明にあっては、長方形の導光板の入射端面を含む端面端部のすべてに設けられている点で相違する。
　
　そこで、相違点について検討するに、導光板の入射側端面以外の端面端部のすべてに乱反射禁止部を設けることは、刊行物1〜5、7にも記載されていないし示唆もされていない。また、この点は公然実施された発明1の構成でもない。本件発明1においては、上記相違に関する本件発明1の構成を採ることにより、入射側端面以外の端面で反射した光を乱反射禁止部で抑制することによって発光面全体としての輝度の均一化を図るものであるところ、引用発明を含めていずれの刊行物にも、乱反射禁止部の作用についての上記知見が示されていない。そして、上記知見が公然実施された発明1から容易に得られるとも認められない。
　
　よって、本件発明1は、公然実施された発明1ではなく、刊行物1〜7に記載された発明でもなく、かつ、当業者が、それらの発明に基づいて容易に発明できたものでもない。
　
【3-4-2】本件発明2、3
　本件発明2、3は、本件発明1の構成に、入射端面以外の端面に設けられる乱反射部(18)の構成を付加するものであるから、本件発明2、3と引用発明とを比較したとき、少なくとも前記相違点が存在する。
　よって、本件発明2、3は、本件発明1について述べた理由と同じ理由で、公然実施された発明1ではなく、刊行物1〜7に記載された発明でもなく、かつ、当業者が、それらの発明に基づいて容易に発明できたものでもない。
　
【3-5】むすび
　以上のとおりであるから、特許異議申立の理由及び証拠方法によっては、本件の請求項1〜3に係る発明の特許を取り消すことはできない。
　また、他に本件の請求項1〜3に係る発明の特許を取り消すべき理由を発見しない。
　よって、特許法等の一部を改正する法律(平成6年法律第116号)附則第14条の規定に基づく、特許法等の一部を改正する法律の施行に伴う経過措置を定める政令(平成7年政令第205号)第4条第2項の規定により、結論のとおり決定する。
【異議決定日】
平成１４年６月１７日（２００２．６．１７）
【訂正の要旨】
訂正の要旨
　特許権者が求めている訂正の内容は、以下のとおりである。
訂正事項ａ：
　特許請求の範囲の請求項１を、特許請求の範囲の減縮を目的として、
「【請求項１】　一面が発光面（１１ａ）とされ他面が反射面（１１ｂ）とされた導光板（１１）を備え、前記反射面（１１ｂ）には乱反射部（１９）が散点状に設けられていて、前記乱反射部（１９）が、前記導光板（１１）の端面（１２）から入射した光を乱反射させて発光面（１１ａ）側を発光させるようにした導光板装置において、
　前記導光板（１１）の入射側端面（１２）以外の端面（１７）端部のすべてに、乱反射部を有しない乱反射禁止部（２０）が設けられていることを特徴とするエッジライト式導光板装置。」
と訂正する。
訂正事項ｂ：
　明細書の段落【０００８】を、不明りような記載の釈明を目的として、
「【０００８】
　【課題を解決するための手段】
　本発明のエッジライト式導光板装置は、一面が発光面１１ａとされ他面が反射面１１ｂとされた導光板１１を備え、前記反射面１１ｂには乱反射部１９が散点状に設けられていて、前記乱反射部１９が、前記導光板１１の端面１２から入射した光を乱反射させて発光面１１ａ側を発光させるようにした導光板装置において、前記導光板１１の入射側端面１２以外の端面１７端部のすべてに、乱反射部を有しない乱反射禁止部２０が設けられていることを特徴とする。」
と訂正する。
訂正事項ｃ：
　明細書の段落【００２３】を、不明りような記載の釈明を日的として、
「【００２３】
　【発明の効果】
　請求項１に係るエッジライト式導光板装置おいては、乱反射禁止部２０により、入射側端面１２以外の端面１７端部付近での発光を、入射側端面１２端部よりも確実に強く抑制できるため、輝度が高くなり過ぎるおそれの大きい入射側端面１２以外の端面１７端部の輝度の増加を効果的に抑えることができ、従って、発光面１１ａの中央部と端部付近との輝度の差異が小さくなり、発光面１１ａ全体の輝度を効率よく均一化できる。」
と訂正する。
（５４）【発明の名称】
エッジライト式導光板装置
（５７）【特許請求の範囲】
　【請求項１】　一面が発光面（１１ａ）とされ他面が反射面（１１ｂ）とされた導光板（１１）を備え、前記反射面（１１ｂ）には乱反射部（１９）が散点状に設けられていて、前記乱反射部（１９）が、前記導光板（１１）の端面（１２）から入射した光を乱反射させて発光面（１１ａ）側を発光させるようにした導光板装置において、
　前記導光板（１１）の入射側端面（１２）以外の端面（１７）端部
のすべて
　【請求項２】　導光板（１１）の入射側端面（１２）以外の端面（１７）に乱反射部（１８）が設けられていることを特徴とする請求項１に記載のエッジライト式導光板装置。
　【請求項３】　入射側端面（１２）以外の端面（１７）に設けられた前記乱反射部（１８）は、該端面（１７）に塗布された反射用ペイントであることを特徴とする請求項２に記載のエッジライト式導光板装置。
【発明の詳細な説明】
　【０００１】
　【産業上の利用分野】
　本発明は、液晶用バックライト、広告などの看板用バックライト、照明器具などに使用されるエッジライト式導光板装置に関する。
　【０００２】
　【従来の技術】
　エッジライト式導光板装置には、図６及び図７に示すようなものがある。この導光板装置は、アクリル樹脂等の透明樹脂よりなる導光板１を備え、導光板１の一側端面２外方に光源用ランプ３を設け、光源用ランプ３の光が外部にもれないように光源用ランプ３の外周を遮光カバー４で覆ったものである。
　【０００３】
　導光板１の発光面に相当する上面１ａには拡散板５が設けられ、導光板１の反射面に相当する下面１ｂには反射板６が設けられている。導光板１の入射面２以外の端面７は平滑で、この端面７には、表面に銀、アルミニウム等が蒸着され、裏面に粘着剤層が設けられたエッジテープ８が貼着されている。
　また、導光板１の反射面１ｂには、反射面１ｂ全体にわたって乱反射部９が散点状に設けられており、この乱反射部９により、導光板１の光源３側端面（以下、「入射面」という）２から入射した光が乱反射して発光面１ａ側で発光する。一般に、発光面１ａでの発光が均一になるように、乱反射部９は図８に示すようなパターンで設けられている。すなわち、ランプ３に近い側から遠い側に向けて反射面１ｂにおける面積占有割合が徐々に大になる勾配パターンで反射面１ｂ全体にわたって形成されている。
　【０００４】
　このような導光板装置において、導光板１の入射面２から入射した光源用ランプ３の光は、エッジテープ８及び反射板６で反射されながら進み、途中で乱反射部９に当たった光がここで乱反射されてその乱反射光を発光面１ａから放出して発光面１ａ側を発光させる。
　【０００５】
　【発明が解決しようとする課題】
　しかし、平滑な面に貼付されたエッジテープ８で鏡面反射された光は、一般に、発光面１ａの中央部で放出されるよりも、エッジテープ８が貼付されている側の端面７側端部で放出される割合の方が多くなる。このため、発光面１ａの輝度が不均一になりやすいという問題があった。
　【０００６】
　また、発光面１ａの輝度を均一にするにあたっては、発光面１ａ全体における輝度の向上が重要となる。
　さらに、エッジテープ８の貼着は、手作業によって行われているのが現状である。手作業は作業性が悪く、生産性の向上が図れない。また、作業者の手に付着した粘着剤が発光板５に付着する場合もあり、かかる場合には製品不良となる。
　【０００７】
　本発明は、このような技術的背景に鑑みてなされたものであり、その目的とするところは、導光板装置としての発光面における輝度の均一化及び向上を図ることができる導光板装置を提供することにある。
　【０００８】
　【課題を解決するための手段】
　本発明のエッジライト式導光板装置は、一面が発光面１１ａとされ他面が反射面１１ｂとされた導光板１１を備え、前記反射面１１ｂには乱反射部１９が散点状に設けられていて、前記乱反射部１９が、前記導光板１１の端面１２から入射した光を乱反射させて発光面１１ａ側を発光させるようにした導光板装置において、前記導光板１１の入射側端面１２以外の端面１７端部
のすべて
　【０００９】
　導光板１１の入射側端面１２以外の端面１７に、乱反射部１８が設けられていることが好ましい。
　また、入射側端面１２以外の端面１７に設けられた乱反射部１８は、該端面１７に塗布された反射用ペイントであることが好ましい。
　【００１０】
　【作用】
　入射側端面１２以外の端面１７で反射した光は、該端面１７端部に設けられた乱反射禁止部２０により、当該端面１７端部付近で発光することが抑制される。従って、乱反射禁止部２０を調節することにより、発光面１１ａ全体としての輝度を均一化させることができる。
　【００１１】
　また、入射側端面１２以外の端面１７に乱反射部１８を設けると、当該端面１７の乱反射部１８に当たった光は乱反射され、その乱反射光が発光面１１ａから放出されて発光するので、輝度が向上する。一方、新たな乱反射部１８が設けられても、乱反射禁止部２０が端面１７端部付近で異常に発光するのを防止する。よって、発光面１１ａにおける輝度が向上すると共に、均一化が図られる。
　【００１２】
　さらに、入射側端面１２以外の端面１７に反射用ペイントを塗布することにより前記乱反射部１８が形成された場合、エッジテープの貼着作業が不要になるとともに、粘着剤に関わる不良品の発生を防止できる。このことは、輝度の均一化、輝度の向上に繋がる。
　【００１３】
　【実施例】
　以下に、本発明の一実施例を図１及び図２に基づいて説明する。
　図１において、アクリル樹脂等の透明樹脂よりなる導光板１１の一側端面（入射面）１２外方に光源用ランプ１３が設けられ、光源用ランプ１３の光が外部にもれないように光源用ランプ１３の外周は遮光カバー１４で覆われている。導光板１１の発光面に相当する上面１１ａには、例えば、ポリカーボネートフィルムよりなる拡散板１５が設けられている。導光板１１の反射面に相当する下面１１ｂには、乱反射部１９としてシリカ、酸化チタン等の拡散材を混入したインクが図２に示すパターンのようにドット印刷され、さらにポリエチレンテレフタレート等の白色フィルムからなる反射板１６が設けられている。また、導光板１１の入射面１２以外の端面１７には、乱反射部１８として反射用ペイントが塗布されている。
　【００１４】
　本発明に用いられる反射用ペイントは、ビヒクルに拡散材となる無機系の顔料を分散させたインキである。ビヒクルには、導光板１１との接着性が良い有機系材料が導光板１１の種類により適宜選択される。導光板１１としてアクリル樹脂板を用いる場合には、アクリル系樹脂が好ましく用いられる。顔料としては、白色系（例えば、酸化チタン）が好ましく用いられる。白色系ペイントは、他の色のペイントに比して反射率が高いからである。従来のエッジテープの場合には、入射した光が鏡面反射するのに対し、反射用ペイントを塗布した場合には、拡散材たる顔料により乱反射する。これにより、発光面に対して９０°に近い角度の光量が多くなり、その乱反射光が発光面１１ａから放出されて発光するので、輝度が高くなる。なお、ペイントの塗布方法は、スクリーン印刷、パッド印刷等の印刷方式、スプレー噴射等の種々の塗布方法を適宜選択できる。
　【００１５】
　図２において、反射面１１ｂには、乱反射部１８たるペイント（以下、単に「ペイント１８」という）の塗布面１７側の端部に、乱反射禁止部２０（図２中、斜線部分で示す）が設けられている。この乱反射禁止部２０は、ペイント１８から乱反射された光がさらに乱反射されて、そこで異常発光するのを防止するために設けられたもので、この乱反射禁止部２０には、乱反射部１９のドットが印刷されていない。乱反射禁止部２０の範囲、すなわち端部からの距離Ｌは反射用ペイントの種類等により適宜選択されるが、一般に５〜１０ｍｍが好ましい。
　【００１６】
　反射面１１ｂの乱反射禁止部２０以外の部分は、従来と同様のドットパターンを形成してもよいが、反射面１１ｂ全体における乱反射部１９の面積率は大きい方が好ましい。例えば、反射面１１ｂにおける乱反射部１９の面積率の変化割合を、図３に示すように形成することが好ましい。図３において、従来（破線）のドットパターンでは入射面１２側付近での変化割合が大きくなっているのに対し、本発明（実線）では、入射面１２付近で面積率が急激に増大するとともに、対向面１７付近で緩やかになっている。
　【００１７】
　以上のような構成を有する導光板装置において、入射面１２から入射した光が、反射板１１ｂで反射されながら進み、途中で乱反射部１９に当たった光がここで乱反射されてその乱反射光を発光面１１ａから放出して発光面１１ａ側を発光させる。また反射用ペイント１８の塗布面に当たった光が、ここで乱反射されて、その乱反射光を発光面１１ａから放出して発光面１１ａ側を発光させる。反射用ペイント１８は発光面１１ａから放出される光量を増加させるので、輝度の向上を図ることができる。一方、反射用ペイント１８の塗布面で乱反射された光のうち、乱反射禁止部２０にあたった光については、乱反射されることなく導光板１１内を進んでいくことができるので、ペイント１８塗布面付近での異常な発光は抑制される。すなわち、乱反射禁止部２０は、反射用ペイント１８の乱反射光が塗布面付近で異常に発光するのを抑制するので、輝度の均一性は損なわれずに済む。
　【００１８】
　また、本発明の導光板装置では、エッジテープに代えて反射用ペイント１８を施していることから、従来の貼着作業が不要となり、作業性が向上するとともに、粘着剤に関わる不良がなくなる。また、反射用ペイント１８の塗布作業は印刷又はスプレー等により行うことができるので、自動化が可能となり、生産性が向上する。
　【００１９】
　次に、ペイントを用いた本発明の導光板装置とエッジテープを用いた従来の導光板装置との輝度の比較結果を説明する。
　導光板１１として、アクリル樹脂（ＰＭＭＡ）製で、厚さ×縦×横が３ｍｍ×２５０ｍｍ×１５０ｍｍのものを用いた。この導光板１１の長辺の一側端面１２に管電流が５ｍＡのランプ１３を一本配設し、ランプ１３が配設されていない側の端面１７に白色の反射用ペイント１８を塗布した。図４に、本発明の実施例品における導光板装置の有効発光面上の９点で測定した輝度を表示する。９点の平均輝度は４６４ｃｄ／ｍ２であった。
　【００２０】
　一方、従来例品として、ランプが配設されていない側の端面に、エッジテープを貼着した導光板装置について、本発明と同様の条件にて測定した。結果を図５に示す。９点の平均輝度は４３０ｃｄ／ｍ２であった。従って、本発明の導光板装置では、平均輝度が１０％もアップしたことがわかる。
　なお、上記実施例においては、入射側端面１２以外の端面１７に形成される乱反射部１８を、反射用ペイントを塗布することにより形成したが、本発明はこれに限定されるものではなく、端面１７をマット加工して、それにエッジテープを貼着する等の他の手段により乱反射部１８を形成してもよい。
　【００２１】
　また、上記実施例の導光板装置は１灯式のものであったが、本発明は導光板の対向する長辺側それぞれにランプを配置した２灯式のものにも適用できる。また、上記実施例では、１灯式の導光板装置において入射面１２以外の３つの端面１７全てに乱反射部１８を設けたが、入射面１２の対向面１７のみに乱反射部１８を設け、他の２つの端面１７は従来通り平滑面とし、その平滑面にエッジテープを貼着しても、輝度の向上を図ることはできる。
　【００２２】
　さらに、上記実施例においては、入射側端面１２以外の端面１７側端部に乱反射禁止部２０を設けるとともに、端面１７に乱反射部１８を設けたが、乱反射禁止部２０を設けるだけでも、発光面における輝度の均一化という効果は得られる。
　【００２３】
　【発明の効果】
　請求項１に係るエッジライト式導光板装置おいては、
乱反射禁止部２０により、入射側端面１２以外の端面１７端部付近での発光を、入射側端面１２端部よりも確実に強く抑制できるため、輝度が高くなり過ぎるおそれの大きい入射側端面１２以外の端面１７端部の輝度の増加を効果的に抑えることができ、従って、発光面１１ａの中央部と端部付近との輝度の差異が小さくなり、発光面１１ａ全体の輝度を効率よく均一化できる。
　【００２４】
　また、入射側端面１２以外の端面１７に乱反射部１８が設けられた請求項２に係るエッジライト式導光板装置おいては、当該端面１７の乱反射部１８での乱反射により、発光面１１ａに放出される光量が増加し、輝度の向上を図ることができる。一方、乱反射禁止部１８は、反射用ペイント１８での乱反射によりペイント塗布面端部付近で異常発光するのを抑制しているので、発光面１１ａでの輝度の均一性は損なわれずに済む。
　【００２５】
　さらに、乱反射部１８を反射用ペイントの塗布により形成した請求項３に係る導光板装置おいては、エッジテープの貼着作業が不要になるとともに、粘着剤に関わる不良品の発生を防止できる。従って、作業性、生産性が向上する。
【図面の簡単な説明】
　【図１】
　本発明の一実施例の導光板装置を示す断面図である。
　【図２】
　本発明の一実施例の導光板装置の乱反射部のドットパターンを表した図である。
　【図３】
　反射面における乱反射部の面積率の変化割合を示すグラフである。
　【図４】
　本実施例品の輝度の測定結果を示す図である。
　【図５】
　従来例品の輝度の測定結果を示す図である。
　【図６】
　従来の導光板装置を示す平面図である。
　【図７】
　従来の導光板装置を示す断面図である。
　【図８】
　従来の導光板装置の乱反射部のドットパターンを表した図である。
　【符号の説明】
　１１　導光板
　１１ａ　発光面
　１１ｂ　反射面
　１２　入射面
　１３　光源用ランプ
　１８　乱反射部（反射用ペイント）
　１９　乱反射部
　２０　乱反射禁止部